(57)【特許請求の範囲】
【請求項１】
ガスコンロの五徳上に載置される筒状本体と、当該筒状本体の内側の中空部に炭を載置する炭台とを備えてなり、ガスコンロの火力を利用して筒状本体内の炭台に載置された炭に着火できるようにした炭焼用調理器具であって、
前記炭台が、一定の隙間を設けて一体的に連結された複数の下側炭台片と、一定の隙間を設けて一体的に連結された複数の上側炭台片とからなり、隣接する上側炭台片と上側炭台片との間に下側炭台片を上下方向に一定の隙間をあけてオーバーラップさせてそれぞれを着脱可能に設けられるものであり、
前記中空部を底面部まで貫通させてガスコンロの火を通すことができるようにするとともに、筒状本体の底面部に、ガスコンロの五徳を退避してガスコンロの火を前記炭台に近づけるための凹部を設けたことを特徴とする炭焼用調理器具。
【発明の詳細な説明】
【技術分野】
【０００１】
本発明は、ガスコンロの五徳の上に載置して容易に炭に着火できるようにした七輪などの炭焼用調理器具に関する。
【背景技術】
【０００２】
七輪は、耐熱性と断熱性に優れた調理器具として従来より知られており、現在では、一般家庭などにおいても炭を利用した調理器具としてよく使用されている。
【０００３】
このような従来の七輪の構造を図６に示す。図６において、７０１は中空状に構成された本体、７０２は本体７０１内に炭を収納できるようにした底部、７０３は外部から空気を取り入れるための空気孔である。このような七輪を製造する場合、一般的には、天然の珪藻土の固体を掘削して外周部や底面部、空気孔を有するように形成し、このように形成された七輪を窯に入れて本焼きして締め固めるようにする。
【０００４】
また、近年では、練り物と呼ばれる七輪も普及している。この七輪は、珪藻土を粉砕したものを金型で押し固めて成型し、焼き上げるようにしたものである。練り物は、職人による加工手間を要しないため、量産に向き、安価で生産することができるというメリットがある。
【０００５】
さらには、従来の七輪をさらに工夫したものとして特許文献1に記載される七輪が提案されている。この特許文献１に記載される七輪は、図７に示すように、壺状をなす本体８を受台８０と天蓋８１とに分離したものであって、煮物や焼物を調理する場合は、天蓋８１を外して受台８０のみを使用し、その受台８０にコンロ８２を収納してその上に置かれた煮物や焼物を調理できるようにしたものである。また、この七輪を薫製や蒸料理用に使用する場合は、天蓋８１を取り付けて密閉空間内で調理できるようにしたものである。
【０００６】
ところで、従来の炭を用いた七輪を使用する場合について説明すると、七輪を使用する場合は、まず、底部がメッシュ状に構成された金属製の火起こし器に炭を入れ、これをガスコンロの上に載せて炭に着火する。そして、炭に火が着いたことを確認した後、その火起こし器内の炭を火鋏で挟んで取り出し、七輪に炭を収納していく。そして、その七輪の上に金網を載せ、炭の火力を利用して食材を調理していく。もしくは、別の方法として、着火前の炭を七輪の底面部に収納し、その炭に着火材やガスバーナーなどを利用して火を着ける。このような七輪を用いれば、炭から出力される赤外線と珪藻土から出力される赤外線とがうまく混ざり合い、より一層食材をおいしく仕上げることができるようになる。
【特許文献１】実登第３１１４７１２号公報
【発明の開示】
【発明が解決しようとする課題】
【０００７】
しかしながら、従来の炭を用いた七輪を使用するに際しては、次に示すような問題がある。すなわち、まず、炭を七輪に収納する場合、火起こし器にて炭に火を着け、その火の着いた炭を火鉢を用いて七輪まで運ばなければならないため、その途中で炭や火の着いた炭の破片などを落としてしまう可能性がある。また、炭を運ぶ際には、周囲の安全面にも十分に配慮する必要がある。さらには、火起こし器をガスコンロにかける場合、炭の灰がガスコンロ上に散乱してしまい、ガスコンロの受け皿などを汚してしまう可能性が高い。
【０００８】
また、炭をあらかじめ七輪本体内に収納した状態で上から火を着ける場合、バーナーの炎が上にあがってしまい、炭になかなか火が着かない。
【０００９】
一方、上記特許文献１に示すようなガスコンロを内蔵した七輪では、赤外線による調理をすることができないために食感を落としてしまうばかりでなく、七輪としての伝統的な雰囲気を壊してしまう可能性が高い。
【００１０】
そこで、本発明は上記課題に着目してなされたもので、炭を用いて食材を調理することのできる炭焼用調理器具において、着火した炭を持ち運ぶ必要がなく、しかも、簡単に炭に火を着けられるようにした炭焼用調理器具を提供することを目的とする。
【課題を解決するための手段】
【００１１】
すなわち、本発明は上記課題を解決すべく、ガスコンロの五徳上に載置される筒状本体と、当該筒状本体の内側の中空部に炭を載置する炭台とを備えてなり、ガスコンロの火力を利用して筒状本体内の炭台に載置された炭に着火できるようにした炭焼用調理器具であって、前記炭台が、一定の隙間を設けて一体的に連結された複数の下側炭台片と、一定の隙間を設けて一体的に連結された複数の上側炭台片とからなり、隣接する上側炭台片と上側炭台片との間に下側炭台片を上下方向に一定の隙間をあけてオーバーラップさせてそれぞれを着脱可能に設けられるものであり、前記中空部を底面部まで貫通させてガスコンロの火を通すことができるようにするとともに、筒状本体の底面部に、ガスコンロの五徳を退避してガスコンロの火を前記炭台に近づけるための凹部を設けるようにしたものである。
【００１２】
このように構成すれば、筒状本体内に炭を入れた状態でそのままガスコンロの五徳の上に載置してガスコンロに火を着けるだけで簡単に炭に火を着けることができるようになる。これにより、従来のように、火起こし器や火鉢などを用いる必要がなくなり、しかも、着火した炭を持ち運ぶ際の面倒さや危険性などをなくすことができる。しかも、ガスコンロの五徳を退避する凹部を設けているので、ガスコンロの火をより炭に近づけることができ、効率よく炭を着火できるようになる。さらには、炭に着火させた後においては、その凹部から外側からの空気を取入れることができるため、炭を効率よく燃焼させることができるようになる。また、上側炭台片と下側炭台片との間に隙間を設けているので、下からの炎をその隙間から通過させて直接炭を燃焼させることができるようになる。しかも、上下の炭台片がオーバーラップしているので、炭の破片などが落下するようなことがなくなる。
【発明の効果】
【００１３】
本発明では、ガスコンロの五徳上に載置される筒状本体と、当該筒状本体の内側の中空部に炭を載置する炭台とを備えてなり、ガスコンロの火力を利用して筒状本体内の炭台に載置された炭に着火できるようにした炭焼用調理器具であって、前記炭台が、一定の隙間を設けて一体的に連結された複数の下側炭台片と、一定の隙間を設けて一体的に連結された複数の上側炭台片とからなり、隣接する上側炭台片と上側炭台片との間に下側炭台片を上下方向に一定の隙間をあけてオーバーラップさせてそれぞれを着脱可能に設けられるものであり、前記中空部を底面部まで貫通させてガスコンロの火を通すことができるようにするとともに、筒状本体の底面部に、ガスコンロの五徳を退避してガスコンロの火を前記炭台に近づけるための凹部を設けるようにしたので、筒状本体内に炭を入れた状態でそのままガスコンロの五徳の上に載置してガスコンロに火を着けるだけで簡単に炭に火を着けることができるようになる。これにより、従来のように、火起こし器や火鉢などを用いる必要がなくなり、しかも、着火した炭を持ち運ぶ際の面倒さや危険性などをなくすことができる。しかも、ガスコンロの五徳を退避する凹部を設けているので、ガスコンロの火をより炭に近づけることができ、効率よく炭を着火できるようになる。さらには、炭に着火させた後においては、その凹部から外側からの空気を取入れることができるため、炭を効率よく燃焼させることができるようになる。また、上側炭台片と下側炭台片との間に隙間を設けているので、下からの炎をその隙間から通過させて直接炭を燃焼させることができるようになる。しかも、上下の炭台片がオーバーラップしているので、炭の破片などが落下するようなことがなくなる。
【発明を実施するための最良の形態】
【００１４】
以下、本発明の実施の形態について、図面を参照して説明する。
【００１５】
まず、本実施の形態における炭焼用調理器具１００の概要について説明する。この炭焼用調理器具１００は、図１や図２に示すように、ガスコンロ３の火力を利用して炭４に火を着けて調理できるようにしたものであって、ガスコンロ３の五徳３１の上に載置する筒状本体１と、その筒状本体１の中空部１０に炭４を載置するための炭台２とを備えて構成される。以下、本実施の形態における炭焼用調理器具１００の詳細について説明する。
【００１６】
まず、筒状本体１は、図２に示すように、ガスコンロ３の五徳３１の上に載置された状態で、このガスコンロ３から出力された火を筒状本体１の内側に通すことができるように構成したものである。そして、その筒状本体１の中空部１０内に炭台載置部１２と、この炭台載置部１２に載置される炭台２とを設けるとともに、筒状本体１の底面部１３には、ガスコンロ３の五徳３１を退避するための凹部１３ａを少なくとも備えるようにしている。
【００１７】
この筒状本体１は、好ましくは、珪藻土を用いて中空円筒状に形成されるものであって、固形化された珪藻土を掘削することによって形成される。このような珪藻土を用いれば、珪藻土から出力される赤外線が炭から出力される赤外線とうまく混ざり合い、より一層食材をおいしく焼き上げることができるが、必ずしも珪藻土を用いる必要はなく、他の素材を用いて筒状本体１を形成するようにしてもよい。
【００１８】
この筒状本体１の中空部１０内には炭台載置部１２が形成される。この炭台載置部１２は、炭４を載置するための炭台２を筒状本体１の内部で一定の高さにて保持できるようにしたものであって、この筒状本体１の内壁１１を内側に突出させて形成される。この炭台載置部１２を形成する場合、まず、中空部１０の上側の内径を小さくするとともに、下側の内径を相対的に大きくし、これによって形成された段差１２１によって炭台載置部１２を形成する。このように炭台載置部１２を形成すると、炭台２のみを着脱することができるため、食材から炭台２に油などの汚れが滴り落ちて付着した場合であっても、これを容易に取り除くことができるようになる。
【００１９】
一方、この筒状本体１の底面部１３には、放射状の凹部１３ａが形成される。この凹部１３ａも筒状本体１を掘削して形成されるものであって、ガスコンロ３の五徳を退避できるようにしたものである。一般的にガスコンロ３の五徳３１は、放射状に４箇所形成されていることが多いため、これに合わせて、凹部１３ａについても、中空部１０を中心として放射状に４カ所設けるようにしている。この凹部１３ａを形成する場合、好ましくは、ガスコンロ３の五徳３１の高さよりも高い切り込みを有するように形成する。これにより、筒状本体１をガスコンロ３上に載置した際に、ガスコンロ３の火をより炭４に近づけることができるようになる。このとき、中空部１０をガスコンロ３の火気出力部３２を収納できるような大きさに設定しておくと、火気出力部３２から放射状に出力された火を筒状本体１の外側に逃がすことがなくなり、火を完全に筒状本体１の内側に収納することで効率よく炭４に火を付けることができる。これにより、火気出力部３２から出力された火が筒状本体１の外側に逃げないため、筒状本体１の外側が熱くなることがなくなり、筒状本体１の外側を持ってガスコンロ３から取り外してテーブル上に運ぶことができる。そして、テーブル上に筒状本体１を置いた後においては、その凹部１３ａから空気を取り込むことができ、炭台２の下から空気を取り入れて効率よく炭４を燃焼させることができるようになる。
【００２０】
また、この筒状本体１の側面には側孔１４が設けられる。この側孔１４は、炭４の燃焼を促すための空気孔として機能するものであって、例えば、図１乃至図２に示すように、内壁１１を貫通するように数箇所形成される。この側孔１４は、好ましくは、炭台２の側方に設けておき、これにより、側孔１４から外気を強制的に吹き込むことによって直接炭４に火を着けることができるようになる。
【００２１】
次に、炭台２の構成について説明する。炭台２は、食材を加熱するための炭４を載置するものであり、複数の実施の形態によって筒状本体１の内部に設けられる。
【００２２】
まず、第一の実施の形態について説明すると、炭台２は、図３に示すように、コの字状に形成された長尺状の炭台片を設けて構成されるものであって、上下方向に一定の隙間をあけて複数の下側炭台片２１および上側炭台片２２を設け、隣接する上側炭台片２２の間に下側炭台片２１をオーバーラップさせるようにしたものである。このとき、少なくとも下側炭台片２１については、上側に凹部の開口部分が位置するようにしておき、この凹部に食材からの油や炭の灰などを受け止められるようにしておく。これらの下側炭台片２１と上側炭台片２２を形成する場合、好ましくは、下側炭台片２１を一定の隙間をあけて連結しておくとともに、上側炭台片２２についても、同じ間隔をあけてそれぞれを連結しておく。そして、各連結された下側炭台片２１と上側炭台片２２の開口部分を対向させた状態でオーバーラップさせ、上下間に一定の隙間をあけた状態で上下方向に着脱可能に連結する。この上下間の連結を行う場合、各下側炭台片２１の端部を連結部材２１ａで一体的に連結しておくとともに、各上側炭台片２２についても、それぞれの端部を一体的に連結させ、このように構成された各部材を接合させる。この接合に際しては、板状に構成された連結部材２１ａ・２２ａを単に上下方向に接触させるだけであってもよく、または、連結部材２１ａ・２２ａの接合部分に嵌合部分を設けて位置合わせさせておき、これによって位置決めした状態で接合させるようにしてもよい。このとき、一体的に連結された下側炭台片２１と上側炭台片２２とを同じ構成にしておけば、各炭台片の製造が容易になり、製造コストを低減させることができるようになる。
【００２３】
また、第二の実施の形態における炭台２の構成について説明する。上記第一の実施の形態では、炭台２を別部材で着脱可能に構成するようにしているが、図４に示すように、この炭台２を筒状本体１と一体的に形成するようにしてもよい。例えば、筒状本体１を掘削して中空部１０を形成する際に、中空部１０内にガスコンロ３の炎を通すための穴やスリットなどを形成し、これによって炭台２を形成する。また、この状態では、食材からの油や炭の灰などがそのまま下方へ落下してしまう可能性があるため、食卓での使用に際しては、筒状本体１の底面部１３に図示しない受け皿などを配置させるようにしてもよい。
【００２４】
次に、このように構成された炭焼用調理器具１００を用いて食材を調理する場合のこの炭焼用調理器具１００の使用法について、図１や図２を参照して説明する。
【００２５】
まず、炭焼用調理器具１００を使用する場合、筒状本体１の炭台載置部１２に炭台２を載置するとともに、その炭台２の上に炭４を載置し、この状態で、炭焼用調理器具１００をガスコンロ３の五徳３１の上に載せる。このとき、筒状本体１の底面部１３に設けられた凹部１３ａにガスコンロ３の五徳３１が入り込むようにする。このように炭焼用調理器具１００を五徳３１の上に載置すると、筒状本体１がガスコンロ３上で安定し、また、ガスコンロ３の火を炭４に近づけることができる。加えて、ガスコンロ３の火気出力部３２が筒状本体１の内側に収納されるので、この火気出力部３２から出力された火が、この筒状本体１の内側に収納され、効率よく炭４に火を着けることができるようになる。このように、この炭焼用調理器具１００を用いると、従来のように、火起こし器や火鉢を用いる必要がなくなり、しかも、着火した炭を持ち運ぶ際の面倒さや危険性などもなくすことができる。また、筒状本体１の底面部１３に設けられた凹部１３ａ、及び、筒状本体１の側孔１４から空気が取り込まれ、炭４の燃焼効率を高めることができる。
【００２６】
そして、このように火気出力部３２を用いて炭４に火を着けたことを確認した後、筒状本体１の外側を持ってテーブル上に運び、筒状本体１の上面部１５に網などを載せて食材に加熱できるようにする。このとき、炭台２の下方に設けられた凹部１３ａから外気が取り込まれ、上昇気流を発生させることができることから、炭４の灰が下に落ちることがなくなり、また、仮に灰が下に落ちたとしても下側炭台片２１の凹部によってその灰を受け止めることができるために、テーブルを汚すようなことがなくなる。また、炭４の火力が落ちてきた場合は、側孔１４から強制的に空気を送り込むことによって炭４に火を着けるようにする。
【００２７】
そして、食事が終わった後、この炭焼用調理器具１００を片付ける場合は、中空部１０から炭台２を取り外し、また、その炭台２の下側炭台片２１と上側炭台片２２とを分離して洗浄して片付ける。
【００２８】
このように、本実施の形態によれば、ガスコンロ３の五徳３１上に載置される筒状本体１と、当該筒状本体１の内側の中空部１０に炭４を載置する炭台２とを備えてなり、ガスコンロ３の火力を利用して筒状本体１内の炭台２に載置された炭４に着火できるようにした炭焼用調理器具１００であって、前記炭台２が、一定の隙間を設けて一体的に連結された複数の下側炭台片２１と、一定の隙間を設けて一体的に連結された複数の上側炭台片２２とからなり、隣接する上側炭台片２２と上側炭台片２２との間に下側炭台片２１を上下方向に一定の隙間をあけてオーバーラップさせてそれぞれを着脱可能に設けられるものであり、前記中空部１０を底面部１３まで貫通させてガスコンロ３の火を通すことができるようにするとともに、筒状本体１の底面部１３に、ガスコンロ３の五徳３１を退避してガスコンロ３の火を前記炭台２に近づけるための凹部１３ａを設けるようにしたので、筒状本体１内に炭４を入れた状態でそのままガスコンロ３の五徳３１の上に載置してガスコンロ３に火を着けるだけで簡単に炭４に火を着けることができるようになる。これにより、従来のように、火起こし器や火鉢などを用いる必要がなくなり、しかも、着火した炭を持ち運ぶ際の面倒さや危険性などもなくすことができる。しかも、ガスコンロ３の五徳３１を退避する凹部１３ａを設けているので、ガスコンロ３の火をより炭に近づけることができ、効率よく炭４に火を着けることができるようになる。さらには、炭４に火を着けた後においては、その凹部１３ａから外気を取り入れることができるため、炭４を効率よく燃焼させることができるようになる。また、炭台２を構成する場合、上下方向に一定の隙間をあけて複数の下側炭台片２１および上側炭台片２２を設け、隣接する上側炭台片２２の間に下側炭台片２１をオーバーラップさせるようにしたので、下からの炎を上下の隙間から通過させて直接炭４を燃焼させることができるようになる。しかも、上下の炭台片がオーバーラップしているので、炭４の破片などが落下するようなことがなくなる。
【００２９】
なお、本発明は上記の実施の形態に限定されることなく、種々の態様で実施することができる。
【００３０】
例えば、上記実施の形態では、中空円筒状の筒状本体１によって炭焼用調理器具１００を形成するようにしたが、図５に示すように、筒状本体１を中空方形状に形成し、炭台２を側方に設けられたスリット１６から挿入できるようにしてもよい。なお、図５において使用される炭台２としては、図３に示すような凹部を有する炭台片を用いるようにしてもよい。また、このとき、前述の炭台載置部１２をレール状に構成しておけば、炭台２がスムーズにスライドしながら挿入されるようになる。このように構成すると、炭台２の取り外しが容易になって調理後の洗浄の際の手間が省かれ、また、このスリット１６から空気も効率的に取り込まれるので、炭４の燃焼もよくすることができる。
【００３１】
また、上記実施の形態では、炭台載置部１２について、筒状本体１の内壁１１に上下方向の段差１２１を設ける場合について説明したが、これに限らず、例えば、筒状本体１の内壁１１にリング状の突出部を設けて、炭台載置部１２とすることもできる。または、筒状本体1の内壁１１に突条を三箇所以上設けて、その突条によって炭台２を支えることもできる。また、この炭台載置部１２については、筒状本体１とは別部材で構成することもできる。例えば、筒状本体１について、あらかじめ、空気孔とは別に内壁１１を貫通する側孔を数箇所形成しておき、その側孔に別部材を差し込むことによって、筒状本体１の内側に突出した部分を炭台載置部１２とすることもできる。
【００３２】
また、上記実施の形態では、筒状本体１の凹部１３ａについて、筒状本体１の凹部１３ａを、一般的なガスコンロの五徳の形状に合わせて筒状本体１の内側から外側に向かって放射方向に少なくとも４箇所設ける場合を説明したが、４箇所以上形成すれば、より空気が取り込まれて好ましい。また、この凹部１３ａは、ガスコンロ３の五徳３１を退避する形状であれば、上記実施の形態に限られない。例えば、筒状本体１の底面部１３に切り込み部を形成して、４本足の構造としてもよい。
【００３３】
また、炭台２００の下側炭台片２１の凹部の形状については、この凹部によって炭の灰や油脂分などが蓄積されればよいのであるから、四角形や三角形、丸型などが考えられる。なお、上側炭台片２２については、下側炭台片２１とオーバーラップするように配置されている限り、どのような形状であってもよい。
【図面の簡単な説明】
【００３４】
【図１】本発明の一実施の形態における炭焼用調理器具の斜視図
【図２】同形態における炭焼用調理器具の断面図
【図３】同形態における炭台の概略図
【図４】他の実施の形態における炭焼用調理器具の断面図
【図５】本発明の他の実施の形態における炭焼用調理器具の斜視図
【図６】従来の七輪を示す斜視図
【図７】特許文献1に記載する七輪を示す断面図
【符号の説明】
【００３５】
１      筒状本体
１００  炭焼用調理器具
１０    中空部
１１    内壁
１２    炭台載置部
１２１  段差
１３    底面部
１３ａ  凹部
１４    側孔
１５    上面部
１６ スリット
２      炭台
２００  炭台
２１    下側炭台片
２２    上側炭台片
３      ガスコンロ
３１    五徳
３２    火気出力部
４      炭
５      料理用金網
【図１】
0005044322.tif 000002
【図２】
0005044322.tif 000003
【図３】
0005044322.tif 000004
【図４】
0005044322.tif 000005
【図５】
0005044322.tif 000006
【図６】
0005044322.tif 000007
【図７】
0005044322.tif 000008